(57)【要約】【課題】  キャビネットの表面に化粧パネルが着脱可能に取り付けられている携帯型電子機器において、化粧パネルを取り外す際に必要な操作駒の回転操作量を小さくする。【解決手段】  本発明に係る携帯型電子機器において、化粧パネル８をキャビネット上に係止すべき係止機構は、化粧パネル８の端部に突設されたフック片86と、該フック片86と係脱が可能な突片94を有してキャビネット上に回転操作可能に枢支された操作駒９とを具えている。操作駒９は、フック片86との係合方向に回転付勢され、該操作駒９には、化粧パネル８の端部を押し上げるべき２つの押上げ部97、96が並設され、一方の押上げ部97が化粧パネル８の端部を押圧した状態で突片94が化粧パネル８のフック片86から離脱し、その後に他方の押上げ部96が化粧パネル８の端部を押し上げる。【選択図】      図１２
2005348024.tif 000002
【特許請求の範囲】
【請求項１】
電子部品を内蔵したキャビネットの表面に化粧パネルが着脱可能に取り付けられている携帯型電子機器において、化粧パネルをキャビネット上に係止すべき係止機構を具え、該係止機構は、化粧パネルの端部に突設された係止受け部と、該係止受け部と係脱が可能な係止部を有してキャビネット上に該係止受け部との係脱方向へ回転操作可能に枢支された操作駒とを具え、該操作駒は、前記係止受け部との係合方向に回転付勢され、該操作駒には、操作駒の回転に伴って化粧パネルの端部をキャビネットから離間させる方向に押し上げるべき２つの押上げ部が、操作駒の回転軸に沿って並設され、両押上げ部は、操作駒の回転軸回りに所定の位相角度差をもって形成されており、操作駒の回転に伴って、一方の押上げ部が化粧パネルの端部を押圧した状態で係止部が化粧パネルの係止受け部から離脱し、その後に他方の押上げ部が化粧パネルの端部を押し上げることを特徴とする携帯型電子機器のパネル脱着構造。
【請求項２】
電子部品を内蔵したキャビネットの表面に化粧パネルが着脱可能に取り付けられている携帯型電子機器において、化粧パネルをキャビネット上に係止すべき係止機構を具え、該係止機構は、化粧パネルの端部に突設された係止受け部と、該係止受け部と係脱が可能な係止部を有してキャビネット上に該係止受け部との係脱方向へ回転操作可能に枢支された操作駒とを具え、該操作駒は、前記係止受け部との係合方向に回転付勢され、該操作駒には、操作駒の回転に伴って化粧パネルの端部をキャビネットから離間させる方向に押し上げるべき２つの押上げ部が、操作駒の回転軸に沿って並設され、両押上げ部は、化粧パネルの端部に向かって互いに異なる高さを有しており、操作駒の回転に伴って、一方の押上げ部が化粧パネルの端部を押圧した状態で係止部が化粧パネルの係止受け部から離脱し、その後に他方の押上げ部が化粧パネルの端部を押し上げることを特徴とする携帯型電子機器のパネル脱着構造。
【請求項３】
前記操作駒の２つの押上げ部は前記係止部の両側に配置され、一方の押上げ部は、前記係止部が係止受け部と係合する回転角度で化粧パネルの端部に当接可能な位置に形成され、前記他方の押上げ部は、前記係止部が係止受け部から離脱する回転角度で化粧パネルの端部に当接可能な位置に形成されている請求項１又は請求項２に記載のパネル脱着構造。
【請求項４】
前記操作駒は、その回転軸を中心とする捻れ方向に弾性変形可能な形状を有している請求項１乃至請求項３の何れかに記載のパネル脱着構造。
【発明の詳細な説明】
【技術分野】
【０００１】
本発明は、携帯電話機等の電子機器においてキャビネットの表面に化粧パネルを着脱可能に取り付ける構造に関するものである。
【背景技術】
【０００２】
折り畳み式携帯電話機は、図１５に示す如く、表面に複数の操作キー(61)が配備された操作側キャビネット(６)と、表面に表示画面(71)が配備された表示側キャビネット(７)と、両キャビネット(６)(７)をそれぞれの端部にて互いに連結するヒンジ機構(８)とを具え、両キャビネット(１)(２)の表面どうしを互いに対向させて折り畳むことが可能となっている(特許文献１参照)。
【０００３】
この様な折り畳み式携帯端末機においては、両キャビネットを閉じたときに、操作側キャビネット(６)の操作キー(61)の表面が表示側キャビネット(７)の表示画面(71)に当たると、表示画面(71)が損傷を受ける虞があるため、操作側キャビネット(６)の表面には、ヒンジ機構(８)とは反対側の端部に２つの突起(62)(62)が形成される一方、表示側キャビネット(７)の表面には、両キャビネットを閉じたときに前記突起(62)(62)が当接することとなる位置に、２つの弾性凸部(72)(72)が配備されている。
【０００４】
該折り畳み式携帯電話機においては、両キャビネットを折り畳んだとき、操作側キャビネット(６)の突起(62)と表示側キャビネット(７)の弾性凸部(72)とが互いに当接して、操作キー(61)の表面と表示画面(71)との間に僅かな隙間が形成されて、表示画面(71)の損傷が防止される。
【０００５】
又、出願人は、図１及び図２に示す如く操作側キャビネット(１)及び表示側キャビネット(２)の外周部にそれぞれ、エラストマーの二色成形によって緩衝部材(４)(５)を形成した折り畳み式携帯電話機を提案している。該折り畳み式携帯電話機によれば、緩衝部材(４)(５)が落下時の衝撃力を緩和する機能を発揮するので、キャビネット内部の電子部品の損傷を防止することが出来る。
【０００６】
ところで、携帯電話機の如き電子機器において、キャビネットの一部を別体の化粧パネルによって構成し、異なる着色を有する化粧パネルどうしで交換が可能な構造とすることによって、電話機本体を取り替えることなく容易に外観を変更することが出来る様にしたものが知られている。
【０００７】
化粧パネルをキャビネットに着脱可能に係止するための係止機構としては、化粧パネルに係止受け部を形成する一方、キャビネットには、前記係止受け部に係合すべき係止部を有する操作駒を配備して、化粧パネルをキャビネットの表面に被せた状態で、操作駒の係止部を化粧パネルの係止受け部に係合させることによって、化粧パネルを係止し、操作駒を操作してその係止部を化粧パネルの係止受け部から離脱せしめることによって、化粧パネルの係止を解除する構成が採用可能である。
【特許文献１】特開平８−３１７０２８号公報
【発明の開示】
【発明が解決しようとする課題】
【０００８】
しかしながら、化粧パネルの係止受け部と操作駒の係止部からなる上述の係止機構において、化粧パネルを取り外す際には、操作駒を操作して、先ず化粧パネルの係止受け部と操作駒の係止部との係合を解除した後、更に操作駒を操作して、化粧パネルをキャビネットの表面から僅かに持ち上げる必要があるため、操作駒の操作量が大きく、このために係合解除の操作性が悪いばかりでなく、操作駒の移動(回転)を許容するために余分なスペースが必要となる問題があった。
【０００９】
そこで本発明の目的は、化粧パネルの係止受け部と操作駒の係止部からなる係止機構を具えたパネル脱着構造において、化粧パネルを取り外す際に必要な操作駒の回転操作量を小さくすることである。
【課題を解決するための手段】
【００１０】
本発明に係る携帯型電子機器においては、電子部品を内蔵したキャビネットの表面に化粧パネルが着脱可能に取り付けられると共に、該化粧パネルをキャビネット上に係止すべき係止機構が配備されている。
前記係止機構は、化粧パネルの端部に突設された係止受け部と、該係止受け部と係脱が可能な係止部を有してキャビネット上に該係止受け部との係脱方向へ回転操作可能に枢支された操作駒とを具え、該操作駒は前記係止受け部との係合方向に回転付勢されている。
該操作駒には、操作駒の回転に伴って化粧パネルの端部をキャビネットから離間させる方向に押し上げるべき２つの押上げ部が、操作駒の回転軸に沿って並設されている。両押上げ部は、操作駒の回転軸回りに所定の位相角度差をもって形成されており、或いは化粧パネルの端部に向かって互いに異なる高さを有している。
【００１１】
具体的には、前記操作駒の２つの押上げ部は前記係止部の両側に配置され、一方の押上げ部は、前記係止部が係止受け部と係合する回転角度で化粧パネルの端部に当接可能な位置に形成され、前記他方の押上げ部は、前記係止部が係止受け部から離脱する回転角度で化粧パネルの端部に当接可能な位置に形成されている。
【００１２】
上記本発明のパネル脱着構造においては、化粧パネルがキャビネットの表面に取り付けられている状態で、操作駒は一方向に回転付勢されて、その係止部が化粧パネルの係止受け部に係合し、これによって化粧パネルがキャビネット上に係止されている。
【００１３】
この状態から操作駒を回転付勢に抗して回転操作すると、前記係止部と係止受け部の係合状態のまま、先ず一方の押上げ部が化粧パネルの端部を押圧する。この押圧開始時点で他方の押上げ部は化粧パネルの端部から離間しており、化粧パネルは前記係合によってキャビネット表面に拘束されているので、操作駒は、化粧パネルの端部から前記一方の押上げ部に作用する反力によって、その回転軸を中心として僅かに捻れることになる。
【００１４】
その後、操作駒の更なる回転操作に伴って、操作駒の係止部が化粧パネルの係止受け部から離脱すると、その時点で、化粧パネルの係止が開放されるので、操作駒が前記捻れ状態から弾性復帰して、その弾性復帰過程で前記一方の押上げ部が化粧パネルの端部を勢いよく持ち上げる。そして、引き続いて前記他方の押上げ部が化粧パネルの端部を押し上げ、これによって化粧パネルがキャビネット表面から浮き上がることになる。
【発明の効果】
【００１５】
上記本発明の携帯型電子機器のパネル脱着構造によれば、操作駒の回転操作の前半にて操作駒の係止部が化粧パネルの係止受け部から離脱するまでの過程で、操作駒が捻れ方向に弾性変形し、操作駒の回転操作の後半にて操作駒が弾性復帰して、その弾性復帰に伴って化粧パネルがキャビネット表面から持ち上げられるので、操作駒の係止部が化粧パネルの係止受け部から離脱した後の操作駒の回転操作量は小さくて済む。
【発明を実施するための最良の形態】
【００１６】
以下、本発明を折り畳み式携帯電話機に実施した形態につき、図面に沿って具体的に説明する。
本発明に係る折り畳み式携帯電話機は、図１及び図２に示す如く、合成樹脂からなる操作側キャビネット(１)と表示側キャビネット(２)をヒンジ機構(３)によって互いに開閉可能に連結して構成される。
【００１７】
図１に示す如く、操作側キャビネット(１)の表面には複数の操作キー(11)が配備される一方、表示側キャビネット(２)の表面にはメイン表示画面(21)が配備されており、両キャビネット(１)(２)を閉じることによって、操作側キャビネット(１)の操作キー(11)と表示側キャビネット(２)のメイン表示画面(21)とが互いに対向する。
【００１８】
操作側キャビネット(１)には、操作キー(11)の配列面を挟んで両側の側面に沿ってそれぞれ、ヒンジ機構(３)の近傍位置からヒンジ機構(３)とは反対側の端部まで伸びる緩衝部材(４)が配備され、操作側キャビネット(１)の表面にその一部が露出している。
尚、緩衝部材(４)は、操作側キャビネット(１)の材質よりも弾性係数の小さな(硬度の低い)ポリカＡＢＳのアロイからなるエラストマーの二色成形(複合成型)によって、操作側キャビネット(１)と一体に形成したものである。
【００１９】
一方、表示側キャビネット(２)の表面には、ヒンジ機構(３)とは反対側の端部に、ゴム製の２つの弾性凸部(22)(22)が配備されており、両キャビネット(１)(２)を閉じることによって、これら２つの弾性凸部(22)(22)は、操作側キャビネット(１)の緩衝部材(４)(４)のヒンジ機構(３)とは反対側の端部(4a)(4a)に当接することになる。
【００２０】
又、表示側キャビネット(２)には、図２に示す如く、ヒンジ機構(３)とは反対側の端部からヒンジ機構(３)側の左右両端部までＵ字状に伸びる緩衝部材(５)が配備されている。
尚、緩衝部材(５)は、同じく表示側キャビネット(２)の材質よりも弾性係数の小さな(硬度の低い)ポリカＡＢＳのアロイからなるエラストマーの二色成形(複合成型)によって、表示側キャビネット(２)と一体に形成したものである。
又、表示側キャビネット(２)の背面には、合成樹脂製の化粧パネル(８)が後述の如く着脱可能に配備されており、該化粧パネル(８)には、複数の放音孔(83)が開設されると共に、カメラ窓(25)とサブ表示画面(27)が露出している。
【００２１】
操作側キャビネット(１)と表示側キャビネット(２)を閉じた状態では、表示側キャビネット(２)の弾性凸部(22)が操作側キャビネット(１)の緩衝部材(４)の端部(4a)に当接して、両キャビネット(１)(２)の対向面間には、所定のクリアランスＣ(約０.５ｍｍ〜０.６ｍｍ)が形成されることになる。
【００２２】
図３に示す如く、表示側キャビネット(２)の内部には、メイン表示画面(21)との対向位置に、メインディスプレイ(20)が配備されている。又、前記複数の放音孔(83)との対向位置には大型(例えばφ２４ｍｍ)のスピーカ(24)が配備され、カメラ窓(25)との対向位置にはＣＣＤカメラ(26)が配備され、サブ表示画面(27)との対向位置にはサブディスプレイ(23)が配備されている。
【００２３】
図５に示す如く、化粧パネル(８)には、前記複数の放音孔(83)の他、表示窓(81)や撮影窓(82)が開設されており、化粧パネル(８)の両側部には一対の第１フック片(84)(84)、下端部には一対の第２フック片(85)(85)、上端部には第３フック片(86)がそれぞれ表示側キャビネット(２)に向かって突設されている。
【００２４】
一方、表示側キャビネット(２)の背面には、図５及び図６に示す如く、化粧パネル(８)が設置されるべきパネル設置部(29)が凹設されており、該パネル設置部(29)には、前記スピーカ(24)とカメラ窓(25)とサブ表示画面(27)が配置されている。
又、緩衝部材(５)の両端部には、スピーカ(24)に向かって突出する一対の耳部(51)(51)が形成されており、両耳部(51)(51)には化粧パネル(８)の第１フック片(84)(84)が係合すべき一対の係止孔(52)(52)が開設されている。
【００２５】
又、表示側キャビネット(２)のパネル設置部(29)には、サブ表示画面(27)の下方位置に、化粧パネル(８)の第２フック片(85)(85)が係合すべき一対の係止孔(28)(28)が開設されている。
更に、表示側キャビネット(２)には、カメラ窓(25)の上方位置に、化粧パネル(８)の第３フック片(86)が係合すべき操作駒(９)が、回転操作可能に取り付けられている。
【００２６】
図９は、出願人が以前に設計した操作駒(90)の構造を示している。該操作駒(90)は駒本体(92)を具え、該駒本体(92)は、中央板部(92a)と、該中央板部(92a)の両端部から突出する一対のブロック部(92b)(92b)と、両ブロック部(92b)(92b)の先端を互いに連結するアーム部(92c)とから構成されている。中央板部(92a)には前記化粧パネル(８)の第３フック片(86)と係合すべきフック状の突片(94)が形成され、該突片(94)の上面は斜面(98)となっている。両ブロック部(92b)(92b)には、化粧パネル(８)の２つの端部を押し上げるべき第１押上げ部(95)と第２押上げ部(96)が同じ高さに形成されている。又、両ブロック部(92b)(92b)の基端部には貫通孔(93)が開設されている。
該操作駒(90)は、貫通孔(93)に枢支ピン(図示省略)が貫通して、ユーザによる回転操作が可能に枢支されると共に、トーションバネ(図示省略)が係合して、突片(94)の突出方向(図９における反時計方向)に回転付勢されている。
【００２７】
これに対し、図１０は、本発明に係る折り畳み式携帯電話機において改良された操作駒(９)の構造を示している。該操作駒(９)は、駒本体(92)の両ブロック部(92b)(92b)に、化粧パネル(８)の２つの端部を押し上げるべき第１押上げ部(97)と第２押上げ部(96)が異なる高さに形成されている点で、図９に示す以前の操作駒(90)と異なっている。
操作駒(９)は、図１２(ａ)に示す如く前記駒本体(92)の貫通孔(93)に枢支ピン(91)が貫通して回転自由に枢支されると共に、トーションバネ(99)によって反時計方向(化粧パネル(８)の第３フック片(86)との係合方向)に回転付勢されている。
【００２８】
化粧パネル(８)を表示側キャビネット(２)に装着する場合には、図４に示す如く化粧パネル(８)を傾斜させた姿勢で、図５に示す化粧パネル(８)の第２フック片(85)(85)を表示側キャビネット(２)の係止孔(28)(28)に係合せしめ、この状態で化粧パネル(８)を表示側キャビネット(２)に向けて押圧して、化粧パネル(８)の第１フック片(84)(84)を緩衝部材(５)の係止孔(52)(52)に係合せしめると共に、化粧パネル(８)の第３フック片(86)を表示側キャビネット(２)の操作駒(９)に係合せしめる。
ここで、第３フック片(86)は、図１０に示す操作駒(９)の突片(94)の斜面(98)を押圧して操作駒(９)を前記トーションバネ(99)に抗して時計方向に回転させ、これによって突片(94)を通過する。その直後、操作駒(９)は前記トーションバネ(99)の付勢によって反時計方向に回転する。この結果、化粧パネル(８)の第３フック片(86)が操作駒(９)の突片(94)と係合することになる(図３、図１２(ｂ)参照)。
【００２９】
これによって、図７に示す如く化粧パネル(８)は表示側キャビネット(２)のパネル設置部(29)に設置され、この状態に保持されることになる。
この状態で、化粧パネル(８)の左右に突設された第１フック片(84)(84)はそれぞれ、図８に示す如く緩衝部材(５)の耳部(51)の係止孔(52)の内周面の外側の面に圧接され、これによって耳部(51)の係止孔(52)の外側の周壁(51a)が弾性変形し、その反発力によって両第１フック片(84)(84)が互いに接近する方向に押圧されて、化粧パネル(８)が両側から挟持されることになる。
【００３０】
従って、スピーカ(24)が鳴動して、その加振力が化粧パネル(８)に伝わったとしても、化粧パネル(８)の第１フック片(84)と緩衝部材(５)の係止孔(52)の周壁(51a)との間の圧接力(摩擦力)によって化粧パネル(８)は表示側キャビネット(２)のパネル設置部(29)上に保持されているので、化粧パネル(８)の振動は阻止される。
【００３１】
尚、化粧パネル(８)の第１フック片(84)と緩衝部材(５)の係止孔(52)との間には、係合前の自由状態において約０.０３ｍｍのオーバーラップが存在するので、図８の如く第１フック片(84)と係止孔(52)とが係合することによって、係止孔(52)の周壁(51a)は約０.０３ｍｍだけ弾性変形することになり、その弾性反発力が第１フック片(84)に作用するが、これによって第１フック片(84)に生じる変形は僅かであるので、第１フック片(84)が折れる虞はない。
【００３２】
化粧パネル(８)を表示側キャビネット(２)から取り外す際は、図３に示す操作駒(９)を前記トーションバネ(99)に抗して図３の反時計方向に回転操作する。これによって、操作駒(９)は、図１２の状態から図１３の状態を経て図１４の状態まで回転して、化粧パネル(８)の第３フック片(86)との係合を解除し、化粧パネル(８)の係止を開放する。尚、図１２、図１３及び図１４の(ａ)(ｂ)(ｃ)はそれぞれ、図１１に示すＲ−Ｒ線、ＣＴＲ−ＣＴＲ線及びＬ−Ｌ線に沿う断面を表わしている。
【００３３】
図１２の状態では、同図(ｂ)の如く操作駒(９)の突片(94)が化粧パネル(８)の第３フック片(86)と係合して、化粧パネル(８)が係止されており、この状態で同図(ａ)(ｃ)の如く操作駒(９)の第１押上げ部(97)及び第２押上げ部(96)はそれぞれ化粧パネル(８)の端部から離間している。
【００３４】
図１３の如く操作駒(９)を時計方向へ回転させると、同図(ａ)の如く操作駒(９)の第１押上げ部(97)が化粧パネル(８)の端部を上向きに押圧する。一方、操作駒(９)の第２押上げ部(96)は同図(ｃ)の如く化粧パネル(８)の端部から離間したままである。このとき、操作駒(９)の突片(94)は、同図(ｂ)の如く依然として化粧パネル(８)の第３フック片(86)と係合した状態を維持している。従って、操作駒(９)は、第１押上げ部(97)が化粧パネル(８)の端部から受ける反力によって枢支ピン(91)を中心として僅かに捻れることになる。
【００３５】
図１４の如く操作駒(９)を更に時計方向に回転させると、同図(ｂ)の如く操作駒(９)の突片(94)が化粧パネル(８)の第３フック片(86)から完全に離脱し、これによって化粧パネル(８)の係止は解除される。このとき、操作駒(９)の第１押上げ部(97)は、化粧パネル(８)の端部によって押さえ込まれていた状態(図１３(ａ))から一気に開放され、操作駒(９)が前記捻れ状態から弾性復帰して、その弾性復帰過程で図１４(ａ)の如く化粧パネル(８)の端部を勢いよく持ち上げる。
引き続いて、同図(ｃ)の如く操作駒(９)の第２押上げ部(96)が化粧パネル(８)の端部を押し上げ、これによって化粧パネル(８)がキャビネット表面から浮き上がることになる。
【００３６】
そこで、図４の如く化粧パネル(８)を傾斜状態に持ち上げて、第１フック片(84)(84)を係止孔(52)(52)から離脱せしめ、更に図５の如く第２フック片(85)(85)を表示側キャビネット(２)の係止孔(28)(28)から離脱せしめることによって、化粧パネル(８)の取り外しが完了する。
【００３７】
上記本発明の折り畳み式携帯電話機によれば、図５に示す如く、表示側キャビネット(２)に化粧パネル(８)が着脱可能に配備されているので、色の異なる化粧パネル(８)どうしで交換が可能である。
【００３８】
化粧パネル(８)の脱着作業においては、図１２から図１３に示す操作駒(９)の回転操作過程で操作駒(９)が捻れ方向に弾性変形した後、図１３から図１４に示す操作駒(９)の回転操作過程で操作駒(９)が弾性復帰して、その弾性復帰に伴って化粧パネル(８)がキャビネット表面から持ち上げられるので、操作駒(９)の突片(94)が化粧パネル(８)の第３フック片(86)から離脱した後の操作駒(９)の回転操作量は少なくて済む。
この結果、操作駒(９)を回転させるためのスペースが削減され、ひいてはキャビネットの薄型化、小型化が図られる。
【００３９】
これに対し、図９に示す以前の操作駒(90)を採用した場合は、操作駒(90)の突片(94)が化粧パネル(８)の第３フック片(86)に係合した状態で第１押上げ部(95)と第２押上げ部(96)が同時に化粧パネル(８)の端部を押し上げる構成となるので、操作駒(90)が捻れ方向に弾性変形し得ず、所謂地獄状態となって操作駒(90)を回転操作することが困難となる。
この問題を回避するには、操作駒(90)の突片(94)が化粧パネル(８)の第３フック片(86)から離脱した後に第１押上げ部(95)と第２押上げ部(96)が同時に化粧パネル(８)の端部を押し上げる構成とする必要があるが、これによって操作駒(90)の回転操作量が増大する問題を生じる。
【００４０】
又、本発明に係る折り畳み式携帯電話機においては、操作側キャビネット(１)及び表示側キャビネット(２)の外周部にそれぞれ緩衝部材(４)(５)がエラストマーの二色成形によってキャビネットと一体に形成されているので、携帯電話機を誤って床面に落下させたとき、先ず緩衝部材(４)(５)が床面に衝突して、衝撃力を緩和する。従って、キャビネット内の電子部品が損傷することはない。
【００４１】
更に、表示側キャビネット(２)側の緩衝部材(５)を利用して、表示側キャビネット(２)のパネル設置部(29)に化粧パネル(８)を保持し、スピーカ(24)の鳴動に伴う振動を防止しているので、特別な防振部材は不要であり、部品点数の増加を招くことなく、ビビリ音の発生を防止することが出来る。
【００４２】
尚、本発明の各部構成は上記実施の形態に限らず、特許請求の範囲に記載の技術的範囲内で種々の変形が可能である。又、本発明は折り畳み式携帯電話機に限らず、種々の携帯型電子機器に実施することが出来る。
【図面の簡単な説明】
【００４３】
【図１】本発明に係る折り畳み式携帯電話機の開いた状態の斜視図である。
【図２】該折り畳み式携帯電話機の閉じた状態の斜視図である。
【図３】該折り畳み式携帯電話機の縦断面図である。
【図４】化粧パネルの脱着途中の状態を示す斜視図である。
【図５】化粧パネルを完全に取り外した状態の斜視図である。
【図６】同上状態の平面図である。
【図７】該折り畳み式携帯電話機の横断面図である。
【図８】図７中のＡ部の拡大図である。
【図９】以前の操作駒の拡大斜視図である。
【図１０】改良した操作駒の拡大斜視図である。
【図１１】操作駒設置部の平面図である。
【図１２】操作駒の回転操作開始時の状態を示す断面図である。
【図１３】操作駒の回転操作途中の状態を示す断面図である。
【図１４】操作駒の回転操作終了時の状態を示す断面図である。
【図１５】従来の折り畳み式携帯電話機の斜視図である。
【符号の説明】
【００４４】
(１)  操作側キャビネット
(11)  操作キー
(２)  表示側キャビネット
(20)  メインディスプレイ
(21)  メイン表示画面
(23)  サブディスプレイ
(24)  スピーカ
(26)  ＣＣＤカメラ
(27)  サブ表示画面
(28)  係止孔
(４)  緩衝部材
(５)  緩衝部材
(51)  耳部
(52)  係止孔
(８)  化粧パネル
(84)  第１フック片
(85)  第２フック片
(86)  第３フック片
(９)  操作駒
(92)  駒本体
(94)  突片
(97)  第１押上げ部
(96)  第２押上げ部
(99)  トーションバネ
【図１】
2005348024.tif 000003
【図２】
2005348024.tif 000004
【図３】
2005348024.tif 000005
【図４】
2005348024.tif 000006
【図５】
2005348024.tif 000007
【図６】
2005348024.tif 000008
【図７】
2005348024.tif 000009
【図８】
2005348024.tif 000010
【図９】
2005348024.tif 000011
【図１０】
2005348024.tif 000012
【図１１】
2005348024.tif 000013
【図１２】
2005348024.tif 000014
【図１３】
2005348024.tif 000015
【図１４】
2005348024.tif 000016
【図１５】
2005348024.tif 000017